(57)【特許請求の範囲】
【請求項１】
光ディスクに光を照射し、前記光ディスクによって反射された光を検出する光ピックアップと、
前記光ピックアップが検出した光に対応する再生信号に基づいて、前記光ピックアップの球面収差の調整、フォーカスバランスの調整、または、レンズのチルト調整のうち少なくとも１つの調整を行う制御部とを備え、
前記制御部は、調整用記録を再生した再生信号のレベルに基づいて調整を行うとともに、調整後の前記再生信号のレベルが所定の閾値以下の場合に、再度調整用記録を行ってから再調整を行うように構成されている、光ディスク装置。
【請求項２】
前記制御部は、前記光ディスクが未記録状態である場合に、前記光ディスクに調整用記録を行い、調整用記録を再生した再生信号のレベルに基づいて調整を行うとともに、調整後の前記再生信号のレベルが所定の閾値以下の場合に、再度調整用記録を行ってから再調整を行うように構成されている、請求項１に記載の光ディスク装置。
【請求項３】
前記制御部は、調整用記録を再生した再生信号のレベルが所定の閾値以下の場合に、その時の調整結果を仮設定し、前記仮設定に基づいて再生信号のレベルが大きくなるように、再度調整用記録を行うように構成されている、請求項１または２に記載の光ディスク装置。
【請求項４】
前記制御部は、最初の調整時および再調整時の両方において、調整用記録を再生した再生信号のレベルが最大になるように調整を行うように構成されている、請求項１〜３のいずれか１項に記載の光ディスク装置。
【請求項５】
前記制御部は、調整後の調整用記録を再生した再生信号のレベルが所定の閾値以下の場合に、前記光ディスクの既に調整用記録が記録されている領域とは異なる未記録領域に再度調整用記録を行ってから再調整を行うように構成されている、請求項１〜４のいずれか１項に記載の光ディスク装置。
【請求項６】
前記制御部は、調整後の調整用記録を再生した再生信号のレベルが所定の閾値より大きくなるまで、再度調整用記録を行ってから再調整を行う制御を繰り返すように構成されている、請求項１〜５のいずれか１項に記載の光ディスク装置。
【請求項７】
前記制御部は、前記光ピックアップの球面収差の調整、または、レンズのチルト調整を行う場合に、レンズの位置を調整する制御を行うように構成されている、請求項１〜６のいずれか１項に記載の光ディスク装置。
【発明の詳細な説明】
【技術分野】
【０００１】
この発明は、光ディスク装置に関し、特に、光ピックアップを備えた光ディスク装置に関する。
【背景技術】
【０００２】
従来、光ピックアップを備えた光ディスク装置が知られている（たとえば、特許文献１参照）。
【０００３】
上記特許文献１には、光ディスクに光を照射し、光ディスクによって反射された光を検出する光学ピックアップ（光ピックアップ）と、光学ピックアップが検出した光に対応する再生データ信号（再生信号）に基づいて、光学ピックアップの球面収差の調整を行うシステムコントローラ（制御部）とを備える記録再生装置（光ディスク装置）が開示されている。この記録再生装置において、システムコントローラは、光ディスクに試し書きデータ（調整用記録）を書き込み、試し書きデータを再生した再生データ信号に基づいて光学ピックアップの球面収差の調整を行うように構成されている。
【先行技術文献】
【特許文献】
【０００４】
【特許文献１】特開２０１１−３２５４号公報
【発明の概要】
【発明が解決しようとする課題】
【０００５】
しかしながら、上記特許文献１の記録再生装置（光ディスク装置）では、光学ピックアップ（光ピックアップ）の球面収差が調整されていない初期状態において、試し書きデータ（調整用記録）を書き込む場合には、十分なレベルの再生データ信号（再生信号）を試し書きデータとして書き込めない場合がある。この場合、試し書きデータの再生信号のレベルが小さいことに起因して光学ピックアップの球面収差の調整がしずらくなるので、光学ピックアップの球面収差の調整を精度よく行うことが困難であるという問題点がある。また、この場合、フォーカスバランスの調整、または、レンズのチルト調整も精度よく行うことが困難であると考えられる。
【０００６】
この発明は、上記のような課題を解決するためになされたものであり、この発明の１つの目的は、光ピックアップの球面収差の調整、フォーカスバランスの調整、または、レンズのチルト調整を精度よく行うことが可能な光ディスク装置を提供することである。
【課題を解決するための手段】
【０００７】
この発明の一の局面による光ディスク装置は、光ディスクに光を照射し、光ディスクによって反射された光を検出する光ピックアップと、光ピックアップが検出した光に対応する再生信号に基づいて、光ピックアップの球面収差の調整、フォーカスバランスの調整、または、レンズのチルト調整のうち少なくとも１つの調整を行う制御部とを備え、制御部は、調整用記録を再生した再生信号のレベルに基づいて調整を行うとともに、調整後の再生信号のレベルが所定の閾値以下の場合に、再度調整用記録を行ってから再調整を行うように構成されている。
【０００８】
この発明の一の局面による光ディスク装置では、上記のように、調整用記録を再生した再生信号のレベルに基づいて調整を行うとともに、調整後の再生信号のレベルが所定の閾値以下の場合に、再度調整用記録を行ってから再調整を行う制御部を設けることによって、調整用記録の再生信号のレベルが大きくなるように調整することができるので、大きく調整された調整用記録の再生信号のレベルに基づいて光ピックアップの球面収差の調整、フォーカスバランスの調整、または、レンズのチルト調整を精度よく行うことができる。
【０００９】
上記一の局面による光ディスク装置において、好ましくは、制御部は、光ディスクが未記録状態である場合に、光ディスクに調整用記録を行い、調整用記録を再生した再生信号のレベルに基づいて調整を行うとともに、調整後の再生信号のレベルが所定の閾値以下の場合に、再度調整用記録を行ってから再調整を行うように構成されている。このように構成すれば、未記録状態の新しい光ディスクでも、調整用記録の再生信号のレベルが大きくなるように調整することができるので、大きく調整された調整用記録の再生信号のレベルに基づいて未記録状態の光ディスクに対する光ピックアップの球面収差の調整、フォーカスバランスの調整、または、レンズのチルト調整を精度よく行うことができる。
【００１０】
上記一の局面による光ディスク装置において、好ましくは、制御部は、調整用記録を再生した再生信号のレベルが所定の閾値以下の場合に、その時の調整結果を仮設定し、仮設定に基づいて再生信号のレベルが大きくなるように、再度調整用記録を行うように構成されている。このように構成すれば、調整用記録を再度行った際の再生信号のレベルを仮設定時の再生信号のレベルよりも容易に大きく調整することができるので、大きく調整された調整用記録の再生信号のレベルに基づいて光ピックアップの球面収差の調整、フォーカスバランスの調整、または、レンズのチルト調整を容易に精度よく行うことができる。
【００１１】
上記一の局面による光ディスク装置において、好ましくは、制御部は、最初の調整時および再調整時の両方において、調整用記録を再生した再生信号のレベルが最大になるように調整を行うように構成されている。このように構成すれば、容易に、再生信号のレベルがより大きくなるように調整することができる。
【００１２】
上記一の局面による光ディスク装置において、好ましくは、制御部は、調整後の調整用記録を再生した再生信号のレベルが所定の閾値以下の場合に、光ディスクの既に調整用記録が記録されている領域とは異なる未記録領域に再度調整用記録を行ってから再調整を行うように構成されている。このように構成すれば、ライトワンス（１回書き込み）型の光ディスクに対しても再度の調整用記録を行ってから再調整を行うことができる。
【００１３】
上記一の局面による光ディスク装置において、好ましくは、制御部は、調整後の調整用記録を再生した再生信号のレベルが所定の閾値より大きくなるまで、再度調整用記録を行ってから再調整を行う制御を繰り返すように構成されている。このように構成すれば、確実に所定の閾値より大きいレベルの再生信号に基づいて光ピックアップの球面収差の調整、フォーカスバランスの調整、または、レンズのチルト調整をより精度よく行うことができる。
【００１４】
上記一の局面による光ディスク装置において、好ましくは、制御部は、光ピックアップの球面収差の調整、または、レンズのチルト調整を行う場合に、レンズの位置を調整する制御を行うように構成されている。このように構成すれば、レンズの位置を調整して容易に光ピックアップの球面収差の調整、または、レンズのチルト調整を精度よく行うことができる。
【発明の効果】
【００１５】
本発明によれば、上記のように、光ピックアップの球面収差の調整、フォーカスバランスの調整、または、レンズのチルト調整を精度よく行うことができる。
【図面の簡単な説明】
【００１６】
【図１】本発明の一実施形態による光ディスク装置の全体の構成を示した概略図である。
【図２】本発明の一実施形態による光ディスク装置の光ピックアップの構成を示した概略図である。
【図３】本発明の一実施形態による光ディスク装置のコリメータレンズ位置と再生信号レベルとの関係を示した図である。
【図４】本発明の一実施形態による光ディスク装置のコリメータレンズ位置と記録信号レベルとの関係を示した図である。
【図５】本発明の一実施形態による光ディスク装置の再生信号レベルの違いを説明するための図である。
【図６】本発明の一実施形態による光ディスク装置の制御部による光ピックアップの球面収差の調整処理を説明するためのフローチャートである。
【図７】本発明の一実施形態による光ディスク装置の仮設定時の再生信号レベルを説明するための図である。
【図８】本発明の一実施形態による光ディスク装置の再調整時の再生信号レベルを説明するための図である。
【発明を実施するための形態】
【００１７】
以下、本発明の実施形態を図面に基づいて説明する。
【００１８】
図１を参照して、本発明の一実施形態による光ディスク装置１００の構成について説明する。
【００１９】
本実施形態による光ディスク装置１００は、光ディスク２００としてのＢＤ（ブルーレイディスク）を再生可能に構成されている。具体的には、光ディスク装置１００は、光ピックアップ１と、ＲＦアンプ２と、再生処理回路３と、出力回路４とを備えている。さらに、光ディスク装置１００には、ドライバ５と、送りモータ６と、スピンドルモータ７と、制御部８とが設けられている。
【００２０】
光ピックアップ１は、光ディスク２００にレーザビーム（光）を照射して光ディスク２００によって反射された光を検出することにより、光ディスク２００に記録された各種情報（音声情報や映像情報など）を読み取る機能を有している。また、光ピックアップ１は、ＢＤ用として、波長４０５ｎｍ帯の青色レーザビームを光ディスク２００に照射可能に構成されている。なお、光ピックアップ１の詳細な構成については後述する。
【００２１】
ＲＦアンプ２は、光ピックアップ１により読み取られた各種情報に基づく再生信号を増幅する機能を有している。再生処理回路３は、制御部８を介してＲＦアンプ２により増幅された再生信号を取得し、その再生信号に対して再生のための各種の処理（たとえば、画像処理など）を施すように構成されている。出力回路４は、光ディスク２００に記録された映像および音声をそれぞれ図示しないモニタおよびスピーカにより出力するために、再生処理回路３により処理が施された信号に対してＤ／Ａ変換処理を行うように構成されている。
【００２２】
ドライバ５は、制御部８からの指示に基づいて、送りモータ６およびスピンドルモータ７の動作を制御するように構成されている。また、ドライバ５は、制御部８からの指示に基づいて、光ピックアップ１の内部に設けられた後述のアクチュエータ２０およびＢＥＸ（Ｂｅａｍ  Ｅｘｐａｎｄｅｒ）モータ２１（図２参照）の動作も制御するように構成されている。送りモータ６は、光ピックアップ１を光ディスク２００の半径方向に移動させる機能を有している。スピンドルモータ７は、光ディスク２００を回転させる機能を有している。
【００２３】
制御部８は、光ピックアップ１の内部に設けられた後述の光検出器１９（図２参照）から出力される再生信号に基づいて、フォーカスエラー（ＦＥ）信号およびトラッキングエラー（ＴＥ）信号を生成するように構成されている。また、制御部８は、光ディスク２００の再生時に、ＦＥ信号に基づいてフォーカスサーボ制御を行うとともに、ＴＥ信号に基づいてトラッキングサーボ制御を行うように構成されている。また、制御部８は、光ディスク２００の記録再生前に、光検出器１９から出力される再生信号に基づいて、光ピックアップ１の球面収差の調整、フォーカスバランスの調整、および、レンズのチルト調整を行うように構成されている。光ディスク２００の記録再生前とは、光ディスク２００が光ディスク装置１００に挿入された直後など、光ディスク２００を再生または光ディスク２００に記録を行う前のタイミングである。また、制御部８は、記録再生前に限らず、記録再生を開始した後であっても、光ディスク装置１００の環境温度の変化に基づく所定のタイミングで、光ピックアップ１の球面収差の調整、フォーカスバランスの調整、および、レンズのチルト調整を行うことも可能である。
【００２４】
次に、図２を参照して、本実施形態による光ディスク装置１００の光ピックアップ１の構成について詳細に説明する。
【００２５】
図２に示すように、光ピックアップ１には、光源１１と、シリンドリカルレンズ１２と、ビームスプリッタ１３と、ミラー１４と、１／４波長板１５と、コリメータレンズ１６と、対物レンズ１７と、検出レンズ１８と、光検出器１９と、アクチュエータ２０と、ＢＥＸモータ２１とが設けられている。なお、コリメータレンズ１６は、本発明の「レンズ」の一例である。
【００２６】
光源１１は、ＢＤ用の４０５ｎｍ帯の青色レーザビームを出射可能なＬＤからなる。シリンドリカルレンズ１２は、光源１１から出射されたレーザビームを平行光に変換する機能を有している。ビームスプリッタ１３は、入射されるレーザビームを分離する光分離素子として機能するように構成されている。ビームスプリッタ１３は、シリンドリカルレンズ１２側から到達するレーザビームをミラー１４側に透過させるとともに、ミラー１４側から到達する光ディスク２００による反射光を光検出器１９側に反射するように構成されている。
【００２７】
ミラー１４は、ビームスプリッタ１３側から到達するレーザビームを光ディスク２００側に反射するとともに、光ディスク２００側から到達する光ディスク２００による反射光をビームスプリッタ１３側に反射する。また、ミラー１４は、ビームスプリッタ１３側から到達するレーザビームの光軸に対して４５度傾斜して設けられており、光ディスク２００の記録面に対して略直交する方向にビームスプリッタ１３側から到達するレーザビームを反射するように構成されている。
【００２８】
１／４波長板１５は、直線偏光を円偏光に変換するとともに、円偏光を直線偏光に変換する機能を有している。そして、１／４波長板１５は、ミラー１４側から到達する直線偏光のレーザビームを円偏光に変換してコリメータレンズ１６に導くとともに、光ディスク２００により反射された円偏光のレーザビームを直線偏光に変換してミラー１４に導く。
【００２９】
コリメータレンズ１６は、ＢＥＸモータ２１によって光軸方向（光ディスク２００の記録面に対して直交する方向）に移動可能に構成されている。コリメータレンズ１６が光軸方向に移動されることにより、コリメータレンズ１６を透過したレーザビームの状態が発散光となったり収束光となったりする。これにより、光ピックアップ１の球面収差の調整が行われる。
【００３０】
対物レンズ１７は、コリメータレンズ１６側から到達するレーザビームを光ディスク２００の記録面上に集光させる機能を有している。また、対物レンズ１７は、アクチュエータ２０により、光ディスク２００の記録面に直交する方向および光ディスク２００の半径方向に移動可能に構成されており、フォーカスサーボ制御およびトラッキングサーボ制御によりその位置が移動される。また、対物レンズ１７は、アクチュエータ２０により、傾き（チルト）を変更可能に構成されている。これにより、対物レンズ１７のチルト調整が行われる。
【００３１】
検出レンズ１８には、光ディスク２００で反射された反射光が、対物レンズ１７、コリメータレンズ１６、１／４波長板１５、ミラー１４およびビームスプリッタ１３を介して到達する。そして、検出レンズ１８は、光検出器１９上に設けられる受光素子上に光ディスク２００による反射光を集光させる。
【００３２】
光検出器１９は、フォトダイオードなどの受光素子を用いて受光した光情報を電気信号に変換するとともに、その電気信号を制御部８（図１参照）に出力する機能を有している。
【００３３】
アクチュエータ２０は、ドライバ５（図１参照）で生成された対物レンズ駆動信号に基づいて、対物レンズ１７を光ディスク２００の半径方向に移動させるように構成されている。これにより、トラッキング動作が実行される。また、アクチュエータ２０は、ドライバ５で生成された対物レンズ駆動信号に基づいて、対物レンズ１７を光ディスク２００の記録面に対して直交する方向に移動させるように構成されている。これにより、フォーカス動作が実行される。また、アクチュエータ２０は、ドライバ５で生成された対物レンズ駆動信号に基づいて、対物レンズ１７の傾き（チルト）を変更させるように構成されている。
【００３４】
光検出器１９から制御部８に出力された電気信号は、フォーカスエラー（ＦＥ）信号およびトラッキングエラー（ＴＥ）信号を生成するために用いられる。制御部８は、光検出器１９からの電気信号を用いて演算処理を行ってＦＥ信号およびＴＥ信号を生成する。具体的には、制御部８は、光検出器１９からの電気信号を用いて、非点収差法によりＦＥ信号およびＴＥ信号をそれぞれ生成する。
【００３５】
ここで、本実施形態では、制御部８（図１参照）は、光ピックアップ１により検出した光ディスク２００により反射されたレーザビーム（光）に対応する再生信号に基づいて、光ピックアップ１の球面収差の調整を行うように構成されている。具体的には、制御部８は、光ディスク２００の未記録領域に調整用記録を行い、調整用記録を再生した再生信号のレベルに基づいて球面収差の調整を行うように構成されている。また、制御部８は、調整後の再生信号のレベルが所定の閾値以下（たとえば、目標レベルの３５％以下）の場合に、再度調整用記録を行ってから再調整を行うように構成されている。なお、制御部８による光ディスク２００の未記録領域に調整用記録を行い、調整用記録を再生した再生信号のレベルに基づいて球面収差の調整を行う制御は、光ディスク２００が未記録（新品）状態の場合に行われる。
【００３６】
図３に示すように、再生信号のレベルは、コリメータレンズ１６の位置により変動する。また、図４に示すように、記録信号のレベルも、再生信号のレベルと同様に、コリメータレンズ１６の位置により変動する。つまり、再生信号のレベルおよび記録信号のレベルは、球面収差を調整することにより変動する。また、再生信号のレベルおよび記録信号のレベルが最大になるコリメータレンズ１６の位置は、略同じ位置になることが知られている。つまり、再生信号のレベルに基づいて球面収差の調整を行うことにより、再生時および記録時の両方における球面収差の調整を行うことが可能である。
【００３７】
また、記録信号のレベルが極大になる最良点付近（図４のＡ１）のコリメータレンズ１６の位置において調整用記録を行った場合、再生信号のレベルは、図５のＡ２に示すように比較的大きく、かつ、極大点（最良点）がはっきりした山型になる。一方、記録信号のレベルが比較的小さい（図４のＢ１）コリメータレンズ１６の位置において調整用記録を行った場合、再生信号のレベルは、図５のＢ２に示すように比較的小さく、かつ、全体的になだらかな山型になる。その結果、調整用記録を再生した再生信号のレベルが最大になるように調整する場合に、調整誤差を考慮すると、Ａ２の場合では、調整値のばらつき範囲は比較的狭くなり、Ｂ２の場合では、調整値のばらつき範囲は比較的広くなる。つまり、再生信号のレベル（記録信号のレベル）が大きい方が、調整を精度よく行うことが可能である。具体的には、再生信号のレベル（記録信号のレベル）が大きい方が、コリメータレンズ１６の位置を最良点のより近くに調整することが可能である。
【００３８】
また、制御部８は、球面収差の調整を行う場合に、図７および図８に示す例のように、調整用記録を行ったコリメータレンズ１６の位置から、再生信号のレベルが大きくなるようにコリメータレンズ１６を移動させる。そして、制御部８は、調整用記録を再生した再生信号のレベルが最大になる位置を目指してコリメータレンズ１６の位置を調整する。ただし、実際には、調整誤差のため、再生信号のレベルが最大になる付近（調整値のばらつき範囲）にコリメータレンズ１６の位置が調整される。
【００３９】
また、制御部８は、調整用記録を再生した再生信号のレベルが所定の閾値以下（目標レベルの３５％以下）の場合に、その時の調整結果を仮設定し、仮設定に基づいて再生信号のレベルが大きくなるように、再度調整用記録を行うように構成されている。具体的には、図７に示す例のように、制御部８は、調整後の再生信号のレベルが所定の閾値以下（目標レベルの３５％以下）の場合に、そのコリメータレンズ１６の位置を仮調整位置として仮設定する。その後、図８に示す例のように、制御部８は、仮調整位置において、再度調整用記録を行ってからコリメータレンズ１６の位置の再調整を行う。なお、再生信号の目標レベルは、光ディスク装置１００に予め設定されている目標としての再生信号のレベルである。また、再生信号のレベルが目標レベルの２０％より大きければ再生信号を読み取ることが可能である。
【００４０】
また、制御部８は、調整後の調整用記録を再生した再生信号のレベルが所定の閾値以下（目標レベルの３５％以下）の場合に、光ディスク２００の既に調整用記録が記録されている領域とは異なる未記録領域に再度調整用記録を行ってから再調整を行うように構成されている。つまり、調整用記録は、最初の記録時および再記録時の両方とも未記録領域に記録される。
【００４１】
次に、図６を参照して、本実施形態の光ディスク装置１００の制御部８による球面収差の調整処理について説明する。この処理は、未記録状態（新品）の光ディスク２００が光ディスク装置１００に挿入された直後など、光ディスク２００の記録再生前に実行される。
【００４２】
図６のステップＳ１において、制御部８は、光ディスク２００の未記録領域に調整用記録を行う。制御部８は、ステップＳ２において、調整用記録を行った光ディスク２００の領域に光ピックアップ１を移動させる。また、制御部８は、光ピックアップ１をスティルジャンプさせて、調整用記録を行った領域に光ピックアップ１を留まらせる。つまり、制御部８は、光ピックアップ１を、トラックをそのまま追従させずにトラックジャンプさせることによって光ディスク２００の調整用記録を行った領域に留まらせるように制御する。
【００４３】
制御部８は、ステップＳ３において、コリメータレンズ１６を移動して、再生信号のレベルが最大になるコリメータレンズ１６の位置を探索する。具体的には、制御部８は、図７および図８に示す例のように、調整用記録を再生した再生信号のレベルが大きくなるようにコリメータレンズ１６を移動させて、再生信号のレベルが最大になる位置にコリメータレンズ１６の位置を調整する。
【００４４】
ここで、本実施形態では、制御部８は、ステップＳ４において、調整後の再生信号のレベルが目標レベルの３５％以下であるか否かを判断する。３５％よりも大きければ、ステップＳ５に進み、３５％以下であれば、ステップＳ６に進む。制御部８は、ステップＳ５において、コリメータレンズ１６の位置を現在の位置に設定して、球面収差の調整を設定する。その後、球面収差の調整処理を終了する。
【００４５】
ステップＳ４において、再生信号のレベルが目標レベルの３５％以下であると判断した場合、制御部８は、ステップＳ６において、コリメータレンズ１６の位置を仮設定（図７参照）する。そして、ステップＳ１に戻る。なお、制御部８は、ステップＳ１に戻った場合、コリメータレンズ１６を仮設定位置（図８参照）に移動させた上で、光ディスク２００の既に調整用記録が記録されている領域とは異なる未記録領域に再度調整用記録を行う。そして、制御部８は、再生信号のレベルが目標レベルの３５％より大きくなるまで、ステップＳ１〜Ｓ４およびＳ６を繰り返す。つまり、制御部８は、調整後の調整用記録を再生した再生信号のレベルが所定の閾値（目標レベルの３５％）より大きくなるまで、再度調整用記録を行ってから再調整を行う制御を繰り返す。
【００４６】
本実施形態では、上記のように、調整用記録を再生した再生信号のレベルに基づいて調整を行うとともに、調整後の再生信号のレベルが所定の閾値以下（目標レベルの３５％以下）の場合に、再度調整用記録を行ってから再調整を行う制御部８を設けることによって、調整用記録の再生信号のレベルが大きくなるように調整することができるので、大きく調整された調整用記録の再生信号のレベルに基づいて光ピックアップ１の球面収差の調整を精度よく行うことができる。
【００４７】
また、本実施形態では、制御部８を、光ディスク２００が未記録状態である場合に、光ディスク２００に調整用記録を行い、調整用記録を再生した再生信号のレベルに基づいて調整を行うとともに、調整後の再生信号のレベルが所定の閾値以下（目標レベルの３５％以下）の場合に、再度調整用記録を行ってから再調整を行うように構成することによって、未記録状態の新しい光ディスク２００でも、調整用記録の再生信号のレベルが大きくなるように調整することができるので、大きく調整された調整用記録の再生信号のレベルに基づいて未記録状態の光ディスク２００に対する光ピックアップ１の球面収差の調整を精度よく行うことができる。
【００４８】
また、本実施形態では、制御部８を、調整用記録を再生した再生信号のレベルが所定の閾値以下（目標レベルの３５％以下）の場合に、その時の調整結果を仮設定し、仮設定に基づいて再生信号のレベルが大きくなるように、再度調整用記録を行うように構成することによって、調整用記録を再度行った際の再生信号のレベルを仮設定時の再生信号のレベルよりも容易に大きく調整することができるので、大きく調整された調整用記録の再生信号のレベルに基づいて光ピックアップ１の球面収差の調整を容易に精度よく行うことができる。
【００４９】
また、本実施形態では、制御部８を、最初の調整時および再調整時の両方において、調整用記録を再生した再生信号のレベルが最大になるように調整を行うように構成することによって、容易に、再生信号のレベルがより大きくなるように調整することができる。
【００５０】
また、本実施形態では、制御部８を、調整後の調整用記録を再生した再生信号のレベルが所定の閾値以下（目標レベルの３５％以下）の場合に、光ディスク２００の既に調整用記録が記録されている領域とは異なる未記録領域に再度調整用記録を行ってから再調整を行うように構成することによって、ライトワンス（１回書き込み）型の光ディスク２００に対しても再度の調整用記録を行ってから再調整を行うことができる。
【００５１】
また、本実施形態では、制御部８を、調整後の調整用記録を再生した再生信号のレベルが所定の閾値（目標レベルの３５％）より大きくなるまで、再度調整用記録を行ってから再調整を行う制御を繰り返すように構成することによって、確実に所定の閾値（目標レベルの３５％）より大きいレベルの再生信号に基づいて光ピックアップの球面収差の調整をより精度よく行うことができる。
【００５２】
また、本実施形態では、制御部８を、光ピックアップ１の球面収差の調整を行う場合に、コリメータレンズ１６の位置を調整する制御を行うように構成することによって、コリメータレンズ１６の位置を調整して容易に光ピックアップ１の球面収差の調整を精度よく行うことができる。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
たとえば、上記実施形態では、本発明を、ＢＤに対応した光ディスク装置に適用する例を示したが、本発明はこれに限られない。本発明を、ＣＤ（コンパクトディスク）またはＤＶＤ（デジタル多用途ディスク）に対応した光ディスク装置に適用してもよいし、ＣＤ、ＤＶＤおよびＢＤ以外の光ディスク装置に本発明を適用してもよい。また、ＣＤ、ＤＶＤおよびＢＤなどの複数の種類の光ディスクに対応した光ディスク装置に本発明を適用してもよい。
【００５５】
また、上記実施形態では、光ピックアップの球面収差の調整を行う場合に、光ディスクに調整用記録を行い、調整用記録を再生した再生信号のレベルに基づいて調整を行うとともに、調整後の再生信号のレベルが所定の閾値以下の場合に、再度調整用記録を行ってから再調整を行う構成の例を示したが、本発明はこれに限られない。本発明では、光ピックアップの球面収差の調整、フォーカスバランスの調整、または、レンズのチルト調整のうち少なくとも１つを行う場合に、光ディスクに調整用記録を行い、調整用記録を再生した再生信号のレベルに基づいて調整を行うとともに、調整後の再生信号のレベルが所定の閾値以下の場合に、再度調整用記録を行ってから再調整を行ってもよい。また、フォーカスバランスの調整を行う場合は、再生信号のレベルに基づいて、フォーカスエラー（ＦＥ）信号のバランスを調整する構成であってもよい。また、レンズのチルト調整を行う場合は、再生信号のレベルに基づいて、対物レンズ１７（図２参照）を移動させて傾きを調整する構成であってもよい。なお、対物レンズ１７は、本発明の「レンズ」の一例である。
【００５６】
また、上記実施形態では、光ディスクが未記録状態（新品）である場合に、光ディスクに調整用記録を行い、調整用記録を再生した再生信号のレベルに基づいて調整を行う構成の例を示したが、本発明はこれに限られない。本発明では、光ディスクに調整用記録を行うことが可能であれば、光ディスクの一部に記録されている領域があってもよい。 
【００５７】
また、上記実施形態では、再生信号のレベルの所定の閾値として目標レベルの３５％が設定されている構成の例を示したが、本発明はこれに限られない。本発明では、所定の閾値として目標レベルの３５％以外のレベルが設定されていてもよい。
【００５８】
また、上記実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００５９】
１  光ピックアップ
８  制御部
１６  コリメータレンズ（レンズ）
１７  対物レンズ（レンズ）
１００  光ディスク装置
２００  光ディスク
【図１】
0005928154.tif 000002
【図２】
0005928154.tif 000003
【図３】
0005928154.tif 000004
【図４】
0005928154.tif 000005
【図５】
0005928154.tif 000006
【図６】
0005928154.tif 000007
【図７】
0005928154.tif 000008
【図８】
0005928154.tif 000009